Podtech/llm-jp-corpus-v4-ja_patent huggingface dataset:
(57)【要約】【課題】  排出ドレンから再蒸発蒸気がモヤモヤと立ち昇ることを防止して、周辺環境へ悪影響を及ぼすことのない熱交換器を得ること。【解決手段】  蒸気供給管２を接続した熱交換容器１の内部にコイル状の冷却流体管３を取り付ける。冷却流体管３は、下端を冷却流体供給管７と、上端を温水排出管８とそれぞれ接続する。冷却流体供給管７を分岐してエゼクタ５と接続する。エゼクタ５の吸引口１２に気体排出手段１４を連通する。  熱交換容器１の上部に滞留している空気だけが、気体排出手段１４を通ってエゼクタ５の吸引口１２へ吸引され外部へ排除される。【選択図】 図１
2010117106.tif 000002
【特許請求の範囲】
【請求項１】
熱交換容器に蒸気と冷却流体を供給して、蒸気を冷却流体で熱交換することにより凝縮させるものにおいて、冷却流体を供給する冷却流体管の一部を分岐してエゼクタのノズル部と接続して、当該エゼクタの吸引口に、流体中に混入した気体を出口部へ排出する気体排出手段を介在して、熱交換容器内の上部と連通したことを特徴とする熱交換器。
【発明の詳細な説明】
【技術分野】
【０００１】
本発明は、各種蒸気使用装置で使用されて残った蒸気や、高温ドレンから発生した再蒸発蒸気などを、水などの冷却流体で熱交換して凝縮させることによって、モヤモヤと立ち込める蒸気を無くしたり、あるいは、冷却流体を熱交換して温度上昇した温水を別途使用して蒸気の保有熱を有効利用するものに関する。
【背景技術】
【０００２】
従来の熱交換器は、熱交換容器に冷却流体を供給する冷却流体管にエゼクタを取り付けて、このエゼクタの吸引口を熱交換容器内の蒸気滞留箇所と連通したもので、エゼクタによって熱交換容器内の滞留蒸気を吸引することにより、熱交換容器内での蒸気の対流が促進され、熱伝達率を向上することができるものである。
【０００３】
上記従来の熱交換器では、熱交換容器内に滞留している空気だけを効率良く外部へ排除できない問題があった。空気が存在すると蒸気と冷却流体の熱交換が著しく阻害されてしまうのである。
【特許文献１】特開２００４−５３０２９号公報
【発明の開示】
【発明が解決しようとする課題】
【０００４】
解決しようとする課題は、熱交換容器内に滞留している空気だけを効率良く外部へ排除することのできる熱交換器を得ることである。
【課題を解決するための手段】
【０００５】
本発明は、熱交換容器に蒸気と冷却流体を供給して、蒸気を冷却流体で熱交換することにより凝縮させるものにおいて、冷却流体を供給する冷却流体管の一部を分岐してエゼクタのノズル部と接続して、当該エゼクタの吸引口に、流体中に混入した気体を出口部へ排出する気体排出手段を介在して、熱交換容器内の上部と連通したものである。
【発明の効果】
【０００６】
本発明は、冷却流体管にエゼクタのノズル部を接続して、当該エゼクタの吸引口に、気体排出手段を介在して、熱交換容器内の上部と接続したことによって、熱交換容器の上部に滞留している空気だけが、気体排出手段を通ってエゼクタの吸引口へ吸引され外部へ排除される。
【発明を実施するための最良の形態】
【０００７】
エゼクタとしては従来から使用されているものを用いることができ、ノズルと、吸引口を設けた吸引室、及び、ディフューザ部とで構成されるエゼクタを用いることができる。
【実施例１】
【０００８】
図１において、熱交換容器１と、凝縮させるべく蒸気を供給する蒸気供給管２と、熱交換容器１内に配置した冷却流体管３と、冷却流体管３の一部を分岐してノズル部４を接続したエゼクタ５、及び、エゼクタ５の吸引口１２と熱交換容器１の上部１３との間に介在した気体排出手段１４とで熱交換器を構成する。
【０００９】
熱交換容器１内の中心部に円筒パイプ状で上下端開放状態の大気開放管６を設ける。大気開放管６の外周に、銅製長尺パイプをコイル状に形成した冷却流体管３を配置し、この冷却流体管３の下端に冷却流体供給管７を接続すると共に、上端は温水排出管８と接続する。冷却流体供給管７から供給される冷却流体が、冷却流体管３を通って排出管８へと流下するものである。また、冷却流体供給管７を分岐した分岐冷却管１５から冷却流体流体が、エゼクタ５へ供給され、エゼクタ５の出口管１６から大気開放管６内へ流下するものである。
【００１０】
大気開放管６の内部下方にオーバーフロー管９を配置する。オーバーフロー管９は鉛直直線状で上端１１を大気開放管６内に開口する。ドレン排出部９の下端に管路１７を接続して、図示しないドレン排出箇所と連通する。
【００１１】
分岐冷却管１５に接続したエゼクタ５は、図示しないノズルを内蔵したノズル部４と、吸引口１２と、ディフューザ１８とで構成する。このエゼクタ５は、エゼクタ５内を冷却流体例えば冷却水が通過して吸引口１２で吸引力を生じ、管路１９を介して熱交換容器１の上部に滞留した空気を吸引するものである。
【００１２】
管路１９の途中に気体排出手段１４を取り付ける。気体排出手段１４は、従来より用いられている自動空気抜弁、あるいは、手動で開閉弁することによって気体を排除することのできる手動弁を取り付けることができる。この気体排出手段１４は、管路１９内を流下してきた流体中に混入している空気を、系外へ排出することができるものである。
【００１３】
蒸気供給管２は、図示しない蒸気使用装置の出口側や再蒸発タンク等と接続して、凝縮すべく蒸気を熱交換容器１内に供給する。蒸気供給管２から熱交換容器１内へ供給される蒸気が、冷却流体管３で冷却されて凝縮しドレンとなって底部のドレン溜部１０に滴下する。
【００１４】
ドレン溜部１０のドレンは、供給される蒸気の圧力により大気開放管６内を上昇して、オーバーフロー管９の上端１１から管路１７を通って所定箇所へと排出される。
【図面の簡単な説明】
【００１５】
【図１】本発明の熱交換器の実施例を示す構成図。
【符号の説明】
【００１６】
１  熱交換容器
２  蒸気供給管
３  冷却流体管
４  ノズル部
５  エゼクタ
６  大気開放管
７  冷却流体供給管
８  温水排出管
９  オーバーフロー管
１２  吸引口
１４  気体排出手段
１９  管路
【図１】
2010117106.tif 000003
(57)【要約】 【課題】地下足袋を利用する人の、足の形態に合わせて、より手早く使用が出来るようにすることが目的である。 【解決手段】従来のコハゼ式地下足袋のコハゼ部分を、取り外し可能なファスナー式とし片側の務歯を、サイズ別に数列設けることで、課題を解決することが出来る。 【選択図】      図１
2010063507.tif 000002
【特許請求の範囲】
【請求項１】
地下足袋を利用する人の、足首の太さに合わせて、使用することが出来るファスナー付き地下足袋。
【発明の詳細な説明】
【技術分野】
【０００１】
本発明は、利用する人の足首の太さに合わせて、簡単に履くことが出来るようにした、地下足袋に関するものである。  
【背景技術】
【０００２】
従来、地下足袋の難点である、多数のコハゼを止めるという作業を、簡単にするためだけの、ファスナーを取り付けた地下足袋しか、考えられていなかった。  
【発明の開示】
【発明が解決しようとする課題】
【０００３】
従来、ファスナーを取り付けただけの地下足袋では、履くスピードは短縮出来るものの、足首の太い人、細い人に合わせることが出来なかった。  
【課題を解決するための手段】
【０００４】
本発明は、ファスナーの、務歯の片方だけを、１列だけでなく、何列か多くすること    から、研究を進めた。  
【０００５】
そして、ファスナーの片側の務歯には、スライダーを常時嵌め込んでおくが、もう片方は、取り外しが自由になるようにした。  
【０００６】
その自由な務歯の帯を設けるさいには、最下部はそれぞれの間隔を狭くし、最上部の間隔を少し広くなるようにした。
【０００７】
そして、３列取り付けて実験を行った。
【０００８】
その結果、地下足袋を利用する人の足首の太さに合った列の務歯をスライダーで拾い上げて、両方の務歯がしっかり噛み合わされ、装着することが出来た。          
【発明を実施するための最良の形態】
【０００９】
本発明の最良の形態は、スライダーを常時はめておく務歯とスライダーが取り外せる務歯という形態にして、最下部はそれぞれの務歯の感覚を狭くし、最上部は少し広くする。    
【実施例】
【００１０】
本発明の地下足袋（１）を使用する際には、従来のコハゼ式地下足袋であれば、コハゼ側の務歯（２）の最下部にスライダー（３）が取り付けてあり、利用する人の足首に合わせて相手側務歯である（４）もしくは（５）或いは（６）とそれぞれ噛み合わされ最上部まで引き上げることになる。
【図面の簡単な説明】
【００１１】
【図１】本件発明の斜視図
【符号の説明】
【００１２】
１  地下足袋
２  スライダー常設側務歯
３  スライダー
４  足首（大）に合わせる務歯
５  足首（中）に合わせる務歯
６  足首（小）に合わせる務歯
【図１】
2010063507.tif 000003
(57)【要約】 【課題】室内に物を干したり、衣類等を掛ける際に、湿ったままの衣類が、直接壁に触れることなく、下げられるようにしたいということが目的である。 【解決手段】物を下げたい部分に、壁から離して掛けられるように、腕木式の補助具を、簡単に取り付け、取り外しができるようにする。 【選択図】  図１
2010063506.tif 000002
【特許請求の範囲】
【請求項１】
室内に、物を干したり、衣類などを掛ける際に、壁に触れずに下げるための腕木式補助具。
（１）
【発明の詳細な説明】
【技術分野】
【０００１】
本発明は、物干しや、ハンガーなどを室内に下げる際に、壁から離して下げることの出来るようにした、補助具に関するものである。
【背景技術】
【０００２】
従来、室内に物を掛ける際には、釘を打つであるとか、フックなどを取り付けると    いう方法しか、考えられていなかった。
【発明の開示】
【発明が解決しようとする課題】
【０００３】
従来、補助具なるものが無いために、室内で物を干すときなどには、直接、壁に触れるところに掛けるしか方法がなく、乾きにくい、汚れるなどの難点があった。
【課題を解決するための手段】
【０００４】
本発明は、壁に触れずに物を掛けるには、まず、壁に腕を取り付けるということから、
研究を進めた。  
【０００５】
そして、物を下げるに耐えうる丈夫な腕を、簡単に取り付け、取り外しがなされるには、部屋の中で丈夫な木部を有する必要があるということで、戸や障子の、鴨居部分で実験を行った。
【０００６】
本発明では、部屋の木部にキズなどをできるだけ残さないようにするという点から、
どのような形が一番理想的であるか、何度も試作品を作り実験を行ってきた。
【０００７】
そして、本発明の形が一番簡単で、当初の目的を達成でき、課題も解決された。
【０００８】
また、本発明は、物干し、ハンガーなどだけでなく、いろいろなオブジェ、遊具等に
も利用することができる。
【発明を実施するための最良の形態】
【０００９】
本発明を実施するためには、鴨居など、木部に有効に取り付けがなされるように、Ｌ型の金属などではさみ込むようにして、簡単にはずれてしまわないように上部に少し尖った部分を設ける。
【実施例】
【００１０】
本発明の、上部Ｌ型（１）のうち角を、鴨居などの上部そと角にあわせる。
【００１１】
同時に上から少し押さえつけてやることにより、上部両端の少し尖った部分（２）が刺さる。
【００１２】
次に、本発明の下部Ｌ型（３）のうち角を、鴨居などの下部そと角にあわせることにより、腕木（４）の先端部分が水平になるように、固定される。                      
【００１３】
取り外しは、ほぼ逆順で行うと、簡単に取り外すことができる。
【００１４】
また、壁に何もない所であっても、寸法を合わせた丈夫な木を、取り付けてやることにより、本発明を簡単に利用することが出来る。  
【図面の簡単な説明】
【００１５】
【図１】本件発明の斜視図
【符号の説明】
【００１６】
１  上部Ｌ型
２  尖った部分
３  下部Ｌ型
４  腕木
【図１】
2010063506.tif 000003
(57)【要約】 【課題】  シートバックの下端とシートクッションの後端との間にシートバックとシートクッションとの間隙を遮蔽するスクリーンを有するシートにおいて、スクリーンの取付性、外観品質を向上させることである。【手段】  合成樹脂材を含浸させて成形した成形不織布で、スクリーン２とシートバックＳＢの背面を構成する被覆材１とを所望の凹凸状などに一体成形することを特徴とする。【選択図】            図２
2010063679.tif 000002
【特許請求の範囲】
【請求項１】
シートバックの下端とシートクッションの後端との間に渉ってスクリーンを取付けてなるシートであって、
前記スクリーンと前記シートバックの背面を構成する被覆材とを一体に合成樹脂材を含浸させ成形した成形不織布で形成したことを特徴とする車両用シート。
【請求項２】
前記シートバックを前倒可能にシートクッションに取付け、前記スクリーンを、上下方向に伸縮性を有する蛇腹状に成形してなる請求項１記載の車両用シート。
【発明の詳細な説明】
【技術分野】
【０００１】
本発明は自動車用などの車両用シート、詳しくは、シートバックとシートクッションとの隙間を遮蔽するスクリーン付の車両用シートに関する。
【背景技術】
【０００２】
この種のスクリーンを有する自動車用シートは、例えば、特開平８−１７３６５６号公報に開示されているように、スクリーンをシートバックの背面を構成するトリムカバーと別体に成形し、そのトリムカバーに結合手段で連結している。
【０００３】
【特許文献１】特開平８−１７３６５６号公報
【発明の開示】
【発明が解決しようとする課題】
【０００４】
従って、前記従来品はスクリーンとシートバックのトリムカバーとに相互に係合するフックなどの結合手段を設ける必要がある。
【０００５】
そのため、結合手段の取付作業に工数を有するばかりか、トリムカバーに対するスクリーンの取付が面倒で、しかも、特にシートバックが前倒れするものにおいては、スクリーンにたるみをもたせて取付けなければ、スクリーンがシートバックの前倒れに追従するようにスクリーンのたるみを設けているため、このたるみのため、シートの外観品質が損なわれている。
【０００６】
そこで、本発明は斯様なスクリーンを有する車両用シートの不具合を除去することを目的とする。
【課題を解決するための手段】
【０００７】
以上の目的を達成するための本発明に係る車両用シートは、シートバックの下端とシートクッションの後端との間に渉ってスクリーンを取付けてなるシートであって、前記スクリーンと前記シートバックの背面を構成する被覆材とを一体に合成樹脂材を含浸させ成形した成形不織布で形成したことを特徴とする構成である。
【０００８】
従って、成形不織布でシートバックの背面を構成する部材とスクリーンとを同時に凹
凸状などに成形でき、成形不織布はシートバックの側面を構成するトリムカバーに縫着
される。
【０００９】
前記シートバックを前倒可能にシートクッションに取付け、前記スクリーンを上下方向に伸縮性を有する蛇腹状に成形するのが好適である。
【００１０】
従って、シートバックを前倒れした際に、スクリーンが伸長してシートバックとシートクッションの隙間を遮蔽する。
【発明の効果】
【００１１】
本請求項１の発明によれば、シートバックの背面の被覆材からスクリーンまで成形不織布で一体成形できるため、前記従来品に対して、結合手段が不要になるし、スクリーンのトリムカバーに対する取付作業も省略できる。
【００１２】
しかも、シートバックの背面形状に沿って成形不織布を成形できるため、その成形性及び保形性によりシートバックの背面に皺、タルミが発生しない。    
また、従来のシートバックの背面を構成するトリムカバーと同様に、シートバックの他のトリムカバーに縫着できる。
【００１３】
本請求項２の発明によれば、スクリーンが蛇腹状に成形不織布で成形されているため、スクリーンの保形性により、スクリーンにタルミ等が発生せず、シートの外観品質を向上し得る。
【発明を実施するための最良の形態】
【００１４】
以下、本発明の好適な実施例を図面に基づいて説明する。
【００１５】
図１は本発明に係る自動車用シートを示し、図中ＳＢはシートバック、ＳＣはシートクッションを各々示し、シートバックＳＢの背面を構成する被覆材１と、シートバックＳＢの下端とシートクッションＳＣの後端との間に配設するスクリーン２は、合成樹脂材を含浸させてプレス成形などによって成形した成形不織布で一体に成形されている。
【００１６】
この成形不織布は合成樹脂材を含浸させてシートバックＳＢの背面形状に合致するように凹凸状に、プレスなどの成形した硬質且つ保形性を有すると共にシートバックＳＢの側面を構成するトリムカバーのまち３など縫製できるもので、例えば、実開平７−１５４４８号に開示されている材質、成形方法によって成形している。
【００１７】
被覆材１は図２に示すように、下端縁を除く部分がシートバックＳＢのトリムカバーのまち３に縫着３１され、略中央には後席乗員用のニースペース１０が凹窪状に、また、全体をシートバックＳＢの背面形状と合致するように曲面状に成形され、下端縁には、前記スクリーン２が延設されている。
【００１８】
スクリーン２は上下方向に伸縮性を有するように蛇腹状に前記被覆材１の成形時に同時に成形され、遊端をシートクッションＳＣの底部に、ホッグリング２１などで結着されている。
従って、シートバックＳＢを前倒した際、スクリーン２は引張られるが、蛇腹が伸長するため、シートバックＳＢの前倒れに支障がない。
【００１９】
なお、図２において図中４はシートバックＳＢの発泡体製パッド、４１、４１は同フレームを各々示す。
【００２０】
以上のように、シートバックＳＢの背面の被覆材１とスクリーン２とを同時に凹凸状など所望の形状に成形不織布で成形されるため、成形性が良好でシートバックＳＢの背面側及びスクリーン２の外観品質を向上し得る。
【００２１】
しかも、成形不織布の保形性によって、シートバックの背面側に、皺、タルミが全く発生しない。
【００２２】
更に、成形不織布からなる被覆材１を、シートバックＳＢの他のトリムカバーに縫着できるため、シートバックＳＢの組立性も良好となる。
【図面の簡単な説明】
【００２３】
【図１】本発明に係る車両用シートの斜視図。
【図２】要部の断面図。
【符号の説明】
【００２４】
ＳＣ…シートクッション、ＳＢ…シートバック、１…被覆材、２…スクリーン。
【図１】
2010063679.tif 000003
【図２】
2010063679.tif 000004
(57)【要約】【課題】  本発明は、ランドセルの下部に弾力性のある物質を設け、ランドセルの肩への負担を軽減させバランス良く背負うためのランドセル用肩負担軽減補助具を提供する。【解決手段】  弾力性のある物質（４）に布（５）を設け、布（５）の上部にゴム（６）を設け、弾力性のある物質（４）に止め具（７）を設けたことを特徴とするランドセル用肩負担軽減補助具である。【選択図】図１
2010063857.tif 000002
【特許請求の範囲】
【請求項１】
弾力性のある物質（４）に布（５）を設け、布（５）の上部にゴム（６）を設け、弾力性のある物質（４）に止め具（７）を設けたランドセル用肩負担軽減補助具。
【発明の詳細な説明】
【技術分野】
【０００１】  本発明は、ランドセルの下部に弾力性のある物質を設け、ランドセルの肩への負担を軽減させバランス良く背負うためのランドセル用肩負担軽減補助具に関するものである。
【背景技術】
【０００２】  従来、ランドセルは、ほとんどの重さが肩ベルトで、肩にかかっていた。
長時間、ランドセルを背負っていると肩が痛くなり疲れやすかった。
【発明の開示】
【発明が解決しようとする課題】
【０００３】  そのため、次のような問題点があった。
重たいランドセルが小さな小学生の肩に大きな負担をかけていた。
本発明は以上の問題点を解決しようとするものである。
【課題を解決するための手段】
【０００４】  弾力性のある物質（４）に布（５）を設け、布（５）の上部にゴム（６）を設け、弾力性のある物質（４）に止め具（７）を設ける。
以上を特徴とするランドセル用肩負担軽減補助具である。
【発明の効果】
【０００５】  本発明は、肩にかかる負担を腰の方にも重さを分散させランドセルをバランス良く背負うことができる。
ランドセルと人の背中の間の下部の部分に弾力性のある物質を挟むことで、両肩と腰の少し上の部分に重さが分散されることによって肩への負担を減らすことができる。
したがって、長時間背負っていても疲れを軽減させることができる。
【発明を実施するための最良の形態】
【０００６】  以下、本発明の実施の形態について説明する。
（イ）弾力性のある物質（４）に布（５）を設ける。
（ロ）布（５）の上部にゴム（６）を設ける。
（ハ）弾力性のある物質（４）に止め具（７）を設ける。
以上のように構成されたランドセル用肩負担軽減補助具である。
つぎに、使い方を説明する。
本発明を使用するときは、ランドセルの蓋（３）にゴム（６）を通し、止め具（７）をランドセル（１）の下部に引掛けてセットして、ランドセル（１）は、肩ベルト（２）を肩に引っ掛けて背負う。
本発明は、ランドセル（１）の重さを背中でバランス良く分散させるため長時間背負っていても疲れが軽減する。
【図面の簡単な説明】
【０００７】
【図１】  本発明の斜視図である。
【図２】  本発明の使用状態を示した側面図である。
【図３】  本発明の使用状態を示した斜視図である。
【符号の説明】
【０００８】  １    ランドセル
２    肩ベルト
３    ランドセルの蓋
４    弾力性のある物質
５    布
６    ゴム
７    止め具
【図１】
2010063857.tif 000003
【図２】
2010063857.tif 000004
【図３】
2010063857.tif 000005
(57)【要約】【課題】この発明は，サンドイッチを切る際，失敗なくきれいに切れるサンドイッチケースを提供する。【解決手段】トレイ（まな板）に，パンに具をはさみ耳を切り落としたサンドイッチをのせ，ガイド付きのステンレススチールのフレームで囲み，切り目にそって包丁を入れて切るサンドイッチ用フレームケース「一瞬カット」である。【選択図】図１
2010063850.tif 000002
【特許請求の範囲】
【請求項１】
トレー（まな板）に，パンに具をはさみ耳を切り落としたサンドイッチをのせ，ガイド付きのステンレススチールのネットで囲み，切り目にそって包丁を入れて切るサンドイッチ用フレームケース「一瞬カット」。
【発明の詳細な説明】
【技術分野】
【０００１】この発明は，サンドイッチを切る際，失敗なくきれいに切れるサンドイッチケースに関するものである。
【背景技術】
【０００２】従来，サンドイッチを切る際，上手に切ることができなかった。
【発明の開示】
【発明が解決しようとする課題】
【０００３】  そのために次のような問題点が生じていた。
（イ）パンが柔らかく具をはさんでいるために，きれいに切るのがむずかしく上手く切れなかった。
本発明は，以上の問題点を解決したものである。
【課題を解決するための手段】
【０００４】トレー（まな板）に，パンに具をはさみ耳を切り落としたサンドイッチをのせ，ガイド付きのステンレススチールのフレームで囲み，切り目にそって包丁を入れて切る。
以上の構成からなる，サンドイッチ用フレームケースである。
【発明の効果】
【０００５】したがって，パンが固定されるためきれいに簡単に切れる。
【発明を実施するための最良の形態】
【０００６】以下，本発明の実施の形態について説明をする。
（イ）まな板の周囲にフレームを立てて固定する。
本発明は以上の構成からなる，サンドイッチ用フレームケース「一瞬カット」である。以下，使用法について説明する。
（イ）パンをトレイ（まな板）にのせてサンドイッチ用フレームケースでパンを囲み切り目の箇所に包丁を合わせて切る。
【図面の簡単な説明】
【０００７】
【図１】本発明の組立図
【図２】本発明の使用説明図
【符号の説明】
【０００８】１は本体▲１▼ステンレススチール（フレーム）
２は本体▲２▼食パンをのせるトレイ（まな板）
３はフレームを折り畳みトレイの上に重ねコンパクトに収納
【図１】
2010063850.tif 000003
【図２】
2010063850.tif 000004
(57)【要約】【課題】  粘着テープロールを前後に転がしてほこりや毛髪を粘着したあとテープを切断して新しい粘着面を出す必要がある。毛髪が絡まったテープはうまく切断できず、また衛生的にも問題があった。  本発明は以上の問題点を解決するための粘着テープクリーナを提供する。【解決手段】  本体（１）に軸（２）、軸（３）を設け、軸（２）に回転可能なロール受（３）およびロール押さえ（４）を設け、軸（２）に側板（５）およびナット（６）を設け、軸（３）に回転可能な巻取り紙管受（７）および紙管押さえ（８）、ナット（６）を設け、軸（２）に回転可能なテープ緊張アーム（９）を設け、テープ緊張アーム（９）にテープ蛇行防止板（１５）を設け、テープ緊張アーム（９）と本体（１）に設けた伸縮体ａ固定具（１０）を伸縮体ａ（１１）で連結し、巻き取り紙管受（７）に設けた軸部（１４）とロール受（３）の側面に設けた伸縮体ｂ固定具（１３）を伸縮体ｂ（１２）で連結し、本体（１）に取手部（１６）を設けたことを特徴とする粘着テープクリーナ。【選択図】図１
2010063862.tif 000002
【特許請求の範囲】
【請求項１】
（イ）本体（１）に軸（２）、軸（３）を設ける。
（ロ）軸（２）に回転可能なロール受（３）およびロール押え（４）を設ける。
（ハ）軸（２）に側板（５）およびナット（６）を設ける。
（ニ）軸（３）に回転可能な巻取り紙管受（７）および紙管押え（８）、ナット（６）を設ける。
（ホ）軸（２）に回転可能なテープ緊張アーム（９）を設ける。
（ヘ）テープ緊張アーム（９）にテープ蛇行防止板（１５）を設ける。
（ト）テープ緊張アーム（９）と本体（１）に設けた伸縮体ａ固定具（１０）を伸縮体ａ（１１）で連結する。
（チ）巻き取り紙管受（７）に設けた軸部（１４）とロール受（３）の側面に設けた伸縮体ｂ固定具（１３）を伸縮体ｂ（１２）で連結する。
（リ）本体（１）に取手部（１６）を設ける。
以上のような構造である粘着テープクリーナ。
【発明の詳細な説明】
【技術分野】
【０００１】  本発明は、カーペットなどのほこりや毛髪をとる清掃具に関するものである。
【背景技術】
【０００２】  従来の粘着テープクリーナは１個の粘着テープロールでカーペット上を転がしてほこりや毛髪を粘着テープに粘着させ、テープの粘着力が弱まったらテープを１巻毎に切断しなければならない不便さがある。
【特許文献１】
【発明の開示】
【発明が解決しようとする課題】
【０００３】  従来の粘着テープを使用したクリーナは、粘着面を１巻毎に切り取らなければならない不便さがあった。
本発明は、粘着テープを切り取る必要がなく連続して使用することができるようにしたものである。
【課題を解決するための手段】
【０００４】（イ）本体（１）に軸（２）、軸、（３）を設ける。
（ロ）軸（２）に回転可能なロール受（３）およびロール押え（４）を設ける。
（ハ）軸（２）に側板（５）およびナット（６）を設ける。
（ニ）軸（３）に回転可能な巻取り紙管受（７）および紙管押え（８）、ナット（６）を設ける。
（ホ）軸（２）に回転可能なテープ緊張アーム（９）を設ける。
（ヘ）テープ緊張アーム（９）にテープ蛇行防止板（１５）を設ける。
（ト）テープ緊張アーム（９）と本体（１）に設けた伸縮体ａ固定具（１０）を伸縮体ａ（１１）で連結する。
（チ）巻き取り紙管受（７）に設けた軸部（１４）とロール受（３）の側面に設けた伸縮体ｂ固定具（１３）を伸縮体ｂ（１２）で連結する。
（リ）本体（１）に取手部（１６）を設ける。
以上のような構造である粘着テープクリーナ。
【発明の効果】
【０００５】  粘着テープを切断することなく連続的にほこりや毛髪を巻き取ることで汚い面に触ることなく衛生的に作業ができる。
【発明を実施するための最良の形態】
【０００６】  以下、本発明の実施の形態を説明する。
（イ）本体（１）に軸（２）、軸（３）を設ける。
（ロ）軸（２）に回転可能なロール受（３）およびロール押え（４）を設ける。
（ハ）軸（２）に側板（５）およびナット（６）を設ける。
（ニ）軸（３）に回転可能な巻き取り紙管受（７）および紙管押え（８）、ナット（６）を設ける。
（ホ）軸（２）に回転可能なテープ緊張アーム（９）を設ける。
（ヘ）テープ緊張アーム（９）にテープ蛇行防止板（１５）を設ける。
（ト）テープ緊張アーム（９）と本体（１）に設けた伸縮体ａ固定具（１０）を伸縮体ａ（１１）で連結する。
（チ）巻き取り紙管受（７）に設けた軸部（１４）とロール受（３）の側面に設けた伸縮体ｂ固定具（１３）を伸縮体ｂ（１２）で連結する。
（リ）本体（１）に取手部（１６）を設ける。
本発明は以上のような構造である。
本発明を使用するときは、粘着テープロール（１９）より粘着テープ（１７）を繰り出し、巻取り紙管（１８）に粘着面が表面になるように端粘着テープなどでを固定する。
取手部（１６）をつかんで巻き取り紙管（１８）をカーペットに押し付け前後に転がす。
前方に転がしたとき引き出された粘着テープ（１７）は後方に転がすとき、テープ緊張アーム（９）によりたるむことなく粘着テープロール（１９）に巻き戻されるので連続的に作業することができる。
粘着力が弱まったら、ロール受（３）を手で固定し、粘着テープロール（１９）を回転させて粘着テープ（１７）を引き出すことができる。
粘着したほこりや毛髪は粘着テープロール（１９）を使いきったところでナット（６）をはずして巻取り紙管（１８）を取り出し廃棄処分する。
【図面の簡単な説明】
【０００７】
【図１】  本発明の断面図である。
【図２】  本発明の使用状態の断面図である。
【図３】  本発明の使用状態の説明図である。
【図４】  本発明の使用状態の説明図である。
【符号の説明】
１  本体
２  軸
３  軸
４  ロール押え
５  側板
６  ナット
７  巻取り紙管受
８  紙管押さえ
９  テープ緊張アーム
１０  伸縮体ａ固定具
１１  伸縮体ａ
１２  伸縮体ｂ
１３  伸縮体ｂ固定具
１４  軸部
１５  テープ蛇行防止板
１６  取手部
１７  粘着テープ
１８  巻取り紙管
１９  粘着テープロール
【図１】
2010063862.tif 000003
【図２】
2010063862.tif 000004
【図３】
2010063862.tif 000005
【図４】
2010063862.tif 000006
(57)【要約】【課題】  フラワーアレンジメントの花止めとしては、吸水性のスポンジが知られているが、これは、使い捨てであり、環境によくない問題点がある。網や線材で構成した花止めは、花の固定度に問題がある。【解決手段】  網材や線材で花を止めるように構成したフレームとカール部材とから成ることを特徴とした花止めであり、前記フレームのうち、挿花する部分にカール部材を被せた状態で使用することにより、垂直、水平、斜めから挿した花の向きが決まり、思い通りのフラワーアレンジメントが可能である。何度でも挿し直しができ、繰り返し使用が可能である。【選択図】図２
2010063866.tif 000002
【特許請求の範囲】
【請求項１】
フラワーアレンジメントの花止めであって、花器に融合する、線材や網状のもので花を挿すように形づくったフレームとカール部材とから成ることを特徴とする花止め。前記フレームのうち、挿花する部分にカール部材を覆い被せた状態で使用するフラワーアレンジメント花止め。
カール部材は、丸い線材、もしくは、少なくとも２本の帯状をした細線材を連続螺旋状にカール巻きしたものを絡みつかせながら、とぐろ状に積層して扁平球状態にしたものを使用する。
【発明の詳細な説明】
【技術分野】
【０００１】  本発明は、カール部材を花止め補助具として使用するフラワーアレンジメント花止めに関する。
【背景技術】
【０００２】  従来のフラワーアレンジメントの花止めとして、最も多く使用されているのは、吸水性スポンジである。その他、網目や穴状に花を挿すものや、剣山等が実用に供されている。
【発明の開示】
【発明が解決しようとする課題】
【０００３】  吸水性スポンジは、使い捨てであり、焼却時に高熱を発し、環境に良くない事情がある。又、屑になりやすく、不潔でもある。網目や穴を利用して挿す花止めは、花の固定度に問題がある。剣山は、水平に挿す花に対応しがたい。故に、剣山単独での使用では、フラワーアレンジメントの花止めには不可である。
【課題が解決するための手段】
【０００４】  本発明は、線材で形づくったフレームや、網目に花を挿すフレームの上をカール部材で覆い被せた状態で使用することにより、水平、垂直、斜めから挿した花を、花の向きまでしっかり固定することができる。
【０００５】  フレームの上部に被せるカール部材に金属を使用する場合は、花材の茎を突き通して挿すため、銅、黄銅、銅と洋白の合金のような、比較的柔らかい金属を使用する。
【０００６】  低部に使用する花止めは、形づくったフレームを、比較的硬い、より固定度の強いステンレス素材のカール金属で覆い被せたものとする。この部分は従来の剣山で代用することもできる。
【発明の効果】
【０００７】  繰り返し使用することができ、ゴミを出さず、環境保全に役立つ。
【０００８】  花の固定度を増したことで、フラワーアレンジメントの基本形のレッスンに供することができる。
【０００９】  ご家庭やオフィス等で花をいけたい時、清潔で手軽に、花を形よくいけることができる。
【００１０】  カール部材の素材に、銅や銅の合金を使用すれば、除菌効果があり、バクテリアの繁殖を抑え、清潔である。
【発明を実施するための最良の形態】
【００１１】  以下、本発明の実施の形態を図１〜図１４に基づいて説明する。【００１２】  図においては、１は連続螺旋状にカール巻きさせた丸い線、又は、帯状の少なくとも２本の細線を絡められたものをとぐろ状に巻いて積層をつくり、扁平球状体に形成したもので、素材は、ステンレス、銅、銅と亜鉛の合金、銅と洋白の合金、樹脂、ウレタン等である。１のカール部材は、素材が金属のものは、カール金属として、たわしの用途で使用されている。【００１３】  線材と網目を利用して挿すフレームの形は、多様なものが想定されるが、２〜５は、商標花林を使用した。２は、線材で形づくったフレーム。円形の線枠の中に、井桁状の線を通し、中央部に円筒形の網の突起部を設け、それを支える円柱形の台を下に接合したもの。３は、金網で形づくったフレーム（図７）。
実施例図２は、２に１を覆い被せたものの低内部に、３に１を覆い被せたもの（図４）を置いた状態で使用する。３に１を被せたものは、剣山で代用できる。【００１４】  ４は、線材で網目を構成し半球状の形にしたフレーム（図１０）。４に１を被せたものを花瓶にいれ、投げ入れの手法に使用する（図１１）。比較的、大き目のアレンジメントに使用する。
５は、金網を横に細長くかまぼこ型に形づくったフレーム。（図１３）。５に１を覆い被せたもの（図１２）は、細長の花器にいれ、フラワーアレンジメントのパラレルの手法に使用する（図１４）。
【図面の簡単な説明】
【００１５】
【図１】カール金属の平面図
【図２】図５の低内部に、図４を置いた正面図
【図３】図２の平面図
【図４】金網で形づくったフレームにカール金属を被せた正面図
【図５】線材で形づくったフレームの正面図
【図６】図５の平面図
【図７】金網で形づくったフレーム
【図８】図２の花止めを花器にいれ、花を挿した斜視図
【図９】図１０に、カール金属を被せた正面図
【図１０】半球状のフレームの正面図
【図１１】図９の花止めを花瓶に入れ、花を挿した状態の正面図
【図１２】図１３のフレームに、カール金属を覆い被せた斜視図
【図１３】金網で形づくった細長いフレームの斜視図
【図１４】図１２の花止めを花器に入れ、花を挿した状態の正面図
【符号の説明】
【００１６】１  カール金属
２  線材で形づくったフレーム
３  金網で形づくったフレーム
４  半球状のフレーム
５  横に細長いかまぼこ型のフレーム
【図１】
2010063866.tif 000003
【図２】
2010063866.tif 000004
【図３】
2010063866.tif 000005
【図４】
2010063866.tif 000006
【図５】
2010063866.tif 000007
【図６】
2010063866.tif 000008
【図７】
2010063866.tif 000009
【図８】
2010063866.tif 000010
【図９】
2010063866.tif 000011
【図１０】
2010063866.tif 000012
【図１１】
2010063866.tif 000013
【図１２】
2010063866.tif 000014
【図１３】
2010063866.tif 000015
【図１４】
2010063866.tif 000016
(57)【要約】      （修正有）【課題】切り離した後に、次の人が掴みやすいように、ペーパーの端が見えるトイレットペーパーホルダーを提供する。【解決手段】ネジ（バネ）巻き戻し方式は、ペーパーを引っ張る際にフタを後方へ押し戻し、ネジ（バネ）を巻き戻すことで、ペーパー切り取った後、フタがペーパーを前方へ押し出し、次の人が使いやすくする。前垂れ方式は、ホルダー下板前部側に設けたカッター部より後方にペーパー押さえを設け、ペーパーを切り取った後、ペーパーが外から見えるような状態となるようにするもの。ワニ口式は、後部側に設けたペーパー押さえの前部でペーパーから離れた位置にカッター部を設けたもの。カッター分離式は、ホルダー下板前部にカッター部を設け、フタ内面の上部から前面側でペーパーを押さえ、フタ前部とカッター部との間にペーパー取り出し部を備えた。【選択図】図１
2010063861.tif 000002
【特許請求の範囲】
【請求項１】
トイレットペーパーを使う分だけ引っ張って、ロールから切り離した時、次の人が直ぐ使えるように、ペーパーの切端がホルダーのカバーに隠れることなく、外に出ている。
トイレットペーパーを切り離した後に、次の人が使う際に、ペーパーの端を掴み取りやすい様に、三角形になるように折りたたむが、これは、ペーパーの端が、ペーパー切り取り部分に隠れてしまうからである。しかし、この方式は、自分が使うためにペーパーを切り取った後、次の人が掴みやすいように、紙の端が外から見えるので、フタやカッターに触れることなく切り取ることが出来る。
【発明の詳細な説明】
【技術分野】
【０００１】ペーパーを適度にはさみ、使うときに引っ張って、切り取るつもりで無いのに切れることの無いようにする。またペーパーを引っ張って、カバーを押し戻す「ねじ巻き戻し方式」の場合もペーパーを引っ張って切れてしまわないことが重要。【０００２】カッターはペーパーを切るには十分強いが、指を挟んだ場合にも、怪我しない程度の切断能力。
【背景技術】
【０００３】ペーパーの強さと、ホルダーがペーパーをはさむ強さが適度でなければならない。
【発明の開示】
【発明が解決しようとする課題】
【０００４】トイレットペーパーを使うとき、毎回ホルダーのフタ（カッターを兼ねているもの）を持ち上げなければ、ペーパーが取り出せない。【０００５】トイレットペーパーを切り取ろうとする時、従来の物は上方向にペーパーを引っ張って、カッターに当てる為、ホルダーのフタ（兼カッター）が跳ね上がってしまう。
【課題を解決するための手段】
【０００６】ペーパーを切り取ろうとする際に、ホルダーのカバーを押し戻したところで切り取る。その押し戻した分だけ、ねじを巻き戻し手を離した途端に、今度はペーパーを巻き戻した分だけ外にスライドさせ、ペーパーが押し出される。押し出されたことで、ペーパーは外から見える状態となり、次の人はフタをわざわざあげることなく、取り出せる。【０００７】ホルダーのフタ（兼カッター）を改良。フタと受け皿を組み合わせ、ペーパーを上下から挟むように切り取る。上下のカッター（兼フタ）はペーパーを切り取った後、上下に開くので、ペーパーを、フタに触れずに取り出せる。ペーパーを切り取る際に、フタに大きな力をかける必要は無く、フタは跳ね上がらない。
【発明の効果】
【０００８】トイレットペーパーを使う際に、ホルダーのフタをいちいち持ち上げる必要が無くなる。【０００９】トイレットペーパーをロールから切り離す時に、上方向に引っ張るためにフタが跳ね上がってしまうことがなくなる。【００１０】他人がトイレの中で触れたフタに触れる必要がなくなる。
【実施例１】
【００１１】店舗、事務所等多数の出入りがある場所に設置されたトイレには、次に使う人のために掃除の際にわざわざ三角に折り曲げることが多いが、本件によるホルダーにより、その必要がなくなる。【００１２】ねじ巻き戻し方式により、機械式として、ペーパーを切り取る負荷を軽減する。【００１３】前垂れ方式により、フリクションを効率よく使い、安価なものを作ることが出来る。【００１４】ワニ口式により、よりデザインを重視し、また変化をもたせることが出来る。【００１５】カッター分離方式により、極めて単純な構造のもとすることができる。
【発明を実施するための最良の形態】
【００１６】この発明はトイレットペーパーホルダーの改善に最良の効果を発揮する。
現在あるものとは根本的に、機能、構造が高度なもの。
【図面の簡単な説明】
【００１７】
【図１】ねじ巻き戻し方式を横から示した図。
【図２】前垂れ式をの横から示した図。
【図３】ワニ口式を横か示した図。
【図４】カッター分離方式を横から示した図
【符号の説明】
【００１８】Ａ  フリクションが必要な部分を示す。
Ｂ  次の人が（ペーパーを取る際に）掴む部分を示す
Ｃ  ペーパーを切り取るカッター部分
【図１】
2010063861.tif 000003
【図２】
2010063861.tif 000004
【図３】
2010063861.tif 000005
【図４】
2010063861.tif 000006
(57)【要約】【課題】  足の不自由な方々や登山をされる方々が使用する杖、歩行器、車椅子などに乾電池や太陽電池パネル等をとりつけて暗い場所を歩く時に光に照らされて歩くことを提供する。【解決手段】従来使用されている形と同じ形の杖、歩行器、車椅子等の強度をそこなわないよう、乾電池、太陽電池パネル、電線、電球等を組み込ませて暗い場所において、手元や足元に光があたるようにし、歩行がスムーズに行なわれるようにしたものである。【選択図】図３
2010063868.tif 000002
【特許請求の範囲】
【請求項１】
従来使用されている形と基本的には変わらない形の杖、歩行器、車椅子等で、最も強度を弱めることのない部分に、空洞（７）をあけ、そこに乾電池（１）電線（２）電球（３）等々を組み込み、飛散防止フィルムを貼った強化アクリル板（５）でフタをし、手元近くのスイッチ（４）で暗い場所において点灯する。
【請求項２】
従来使用されている形と基本的には変わらない形の杖、歩行器、車椅子等で、最も強度を弱めることのない部分に、空洞（７）をあけ、そこに太陽電池パネル（６）電線（２）電球（３）等々を組み込み、飛散防止フィルム（８）を貼り、あらかじめ太陽電池パネル（６）に太陽光を十分にあて、暗くなると自然点灯するようにする。
【発明の詳細な説明】
【発明の詳細な説明】
【技術分野】
【０００１】  この発明は、従来使用されている杖、歩行器、車椅子等の一部分に、乾電池や電線、電球等々をとりつけて暗い場所で点灯させることを目的としたものである。又、杖、歩行器、車椅子等に太陽光発電システムを設置すると暗くなると自然点灯するのでそれを利用したものである。
【発明が解決しようとする課題】
【０００２】  足が不自由な方々や山登りをされる方々が、暗い場を歩く時少しでも不自由なことがないように、手元や足元を照らす光を杖、歩行器、車椅子等に組み込こませたものである。
【課題を解決する手段】
【０００３】  従来使用されている形と同じ形の杖、歩行器、車椅子等の強度をそこなわない一部分に空洞（７）を作り、そこに乾電池（１）又は太陽電池パネル（６）電線（２）電球（３）飛散防止フィルム（８）等々を組み込み、暗い場所においてスイッチで点灯、もしくは太陽光発電で自然点灯し、杖、歩行器、車椅子等で歩行する場合に手元や足元に光があたり歩行がスムーズに行なわれるようにする。
【発明実施の形態】
【０００４】  以下、本発明の実施の形態を説明する。
（イ）乾電池を使用した場合
従来使用されていると同様の形の杖、歩行器、車椅子等の強度をそこなわない一部分に、必要最少限の空洞（７）を作り、そこに高性能の乾電池（１）や電線（２）電球（３）等々を組み込み、飛散防止フィルムを貼った強化アクリル板（５）をすき間のない様ぴったりと貼りつけ、スイッチ（４）で暗い時等に点灯できるようにしたものである。
（ロ）太陽電池パネルを使用した場合
従来使用されていると同様の形の杖、歩行器、車椅子等の強度をそこなわない一部分に、必要最少限の空洞（７）を作り、そこに高性能の太陽電池パネル（６）と電球（３）電線（２）等々を組み込み、表面を飛散防止フィルム（８）でおおい太陽電池パネル（６）を十分に太陽光にあてて、暗くなった時に自然点灯させ、杖、歩行器、車椅子等を暗い場所で使用する時に、手元や足元が光で明るく照らせるようにしたものである。本発明は以上の構成からなるので、乾電池を使用した場合にスイッチを入れる等の必要性はあるものの特別むずかしい使用方法はないという利点がある。
【発明の効果】
【０００５】足の不自由な方々や登山される方々が使用する杖、歩行器、車椅子等が暗い場所で使用する時に、手元や足元が光で照らされ明るくなると転倒などの危険も少なくなり歩行に大変便利になると思われる。また特別むずかしい操作をする必要もないので、体の不自由な方にも使用していただけると思う。
【図面の簡単な説明】
【図１】本発明の（イ）乾電池を使用した場合の完成時平面図
【図２】本発明の（イ）乾電池を使用した場合の横から見た時の平面図
【図３】本発明の（イ）乾電池を使用した場合の断面図
【図４】本発明の（ロ）太陽電池パネルを使用した場合の完成時平面図
【図５】本発明の（ロ）太陽電池パネルを使用した場合の断面図
【符号の説明】
（１）乾電池（２）電線（３）電球（４）スイッチ
（５）飛散防止フィルムを貼った強化アクリル板
（６）太陽電池パネル（７）空洞（８）飛散防止フィルム
【図１】
2010063868.tif 000003
【図２】
2010063868.tif 000004
【図３】
2010063868.tif 000005
【図４】
2010063868.tif 000006
【図５】
2010063868.tif 000007
(57)【要約】【課題】フラフープを上手く回すことが出来ない人においても、フラフープを楽しむことが可能なフラフープを提供する。【解決手段】フラフープを浮き輪形状の容器に収容することによって、フラフープを上手く回すことが出来なくても落下することなく、誰もがフラフープを楽しむことが出来るようにした。【選択図】図１
2010063865.tif 000002
【特許請求の範囲】
【請求項１】
浮き輪形状の容器に収容されたフラフープ。
【発明の詳細な説明】
【技術分野】
【０００１】本発明はフラフープを浮き輪形状の容器の中に収容する事によって、運動能力に関係なく誰もがフラフープを楽しめるようにしたものである。
【背景技術】
【０００２】従来は、浮き輪形状の容器の中に収容されたフラフープは無かった。
【発明の開示】
【発明が解決しようとする課題】
【０００３】従来のフラフープは腹部周りにてフラフープを回転させる場合、運動能力の不足等により回転不良が生じ、フラフープが直ぐに落下してしまうため、フラフープを楽しみたいけれどもあきらめざるを得ないという難点があった。本発明はこの課題を解決するためになされたものである。
【課題を解決するための手段】
【０００４】フラフープを浮き輪形状の容器の中に収容することによって腹部周りにてフラフープを上手く回せなくても落下することが無いようにした。
【発明の効果】
【０００５】フラフープを浮き輪形状の容器の中に収容されているため腹部周りにてフラフープを上手く回せなくても落下することが無いので、運動能力に関係なく誰もがフラフープを楽しむ事が出来る。
以下、本発明の実施の形態について説明する。
（イ）浮き輪形状の容器の製造工程中に浮き輪形状の容器の中にフラフープを収容する。
【図面の簡単な説明】
【０００６】
【図１】本発明の上から見た正面図である。
【図２】本発明の断面図である。
【符号の説明】
【０００７】１  フラフープ
２  浮き輪形状の容器
【図１】
2010063865.tif 000003
【図２】
2010063865.tif 000004
(57)【要約】【課題】  用途に合わせて組み立て可能な蜂捕獲用粘着シートを提供する。【解決手段】  蜂捕獲用粘着シート本体１の外枠の上下左右にそれぞれ差し込み片４と差込み口５を備える。この差込み片４と差込み口５を蜂捕獲用粘着シート本体１同士で複数枚組み合わせる事により、円柱、四角柱状にしたり、平行に並べる事でトラップ範囲を広げる事ができる。【選択図】図１
2010063450.tif 000002
【特許請求の範囲】
【請求項１】
用途に合わせて組み合わせ可能な差込み片４、差込み口５をそれぞれ外枠の上下左右に備え、単数あるいは複数枚の蜂捕獲用粘着シート１同士を組み合わせて設置できる事を特徴とした蜂捕獲用粘着シート
【請求項２】
粘着シート２が内側になるように差込み片４と差込み口５をそれぞれ組み合わせ円柱、四角柱状にし、蜂の巣穴に直接被せられる構造を特徴とした請求項１記載の蜂捕獲用粘着シート
【発明の詳細な説明】
【技術分野】
【０００１】  本発明品は蜂の駆除に関するものである。
【背景技術】
【０００２】  スズメバチ等が巣を作った場合、駆除する際には危険がともなう。特開２００７−３０６８２３記載のスズメバチの捕獲器は粘着物を備えた黒い板を長い棒などに吊るす構造となっている。スズメバチは黒い物に攻撃する習性があり、黒い板を攻撃した際、粘着物に捕まるとされている。【０００３】  特開２００４−１０５０９２記載のスズメバチの捕獲器は粘着材を塗布されたボードを吊り下げ、スズメバチがこの粘着材塗布面に止まった場合、羽音を大きくたてるので，他の蜂の羽音のする場所に集まる習性があるスズメバチは次々とボードの粘着材塗布面によって捕獲されるとされている。
【特許文献１】特開２００７−３０６８２３号広報
【特許文献２】特開２００４−１０５０９２号広報
【発明の開示】
【発明が解決しようとする課題】
【０００３】  用途に合わせて組み立て可能な蜂捕獲用粘着シートを提供する。
【課題を解決する為の手段】
【０００４】  蜂捕獲用粘着シート本体１の外枠の上下左右にそれぞれ差し込み片４と差込み口５を備える。この差込み片４と差込み口５を蜂捕獲用粘着シート本体１同士で複数枚組み合わせる事により、円柱、四角柱状にしたり、平行に並べる事でトラップ範囲を広げる事ができる。
【発明の効果】
【０００５】  本考案では蜂を捕獲する際に様々な用途にあわせて最適な構造にできるようになっている。図１は平面上に設置する場合を表している。壁、木などに蜂捕獲用粘着シート本体１の外枠を直接ガムテープ等で張り付けたり、そのまま吊り下げ用穴３に紐等を通し、木の枝などに吊るし上げて設置する事ができる。その際２枚以上の蜂捕獲用粘着シート本体１を用意し、それぞれの差込み片４と差込み口５を並列に組み合わせる事でトラップ範囲を広げる事ができる。
【０００６】  また図２は蜂捕獲用粘着シート本体１を円柱状に組み立てた場合を表している。粘着シート２を内側になるように組み立てる事で、蜂の巣穴に直接被せられるような構造となる。内側に備えられた粘着シート２は巣穴に対して平行になるように設置され、蜂が巣穴を出入りする際に直接粘着シート２に付着する構造となっている。
【発明を実地する為の最良の形態】
【０００７】  本考案を実施する前には蜂に刺されないような服装にしなければならない。図１の蜂捕獲用粘着シート本体１は、蜂の巣の近くに吊り下げ用穴３に紐などを通し、木の枝や釘に吊るすことができる。壁などに設置する場合は蜂捕獲用シート本体１の外枠をガムテープなどで止めればよい。巣穴の規模により蜂捕獲用粘着シート本体１同士を並列に組み合わせトラップ範囲を広げることができる。
【０００８】  また図２は巣穴に被せるように設置する際の蜂捕獲用粘着シート本体１である。蜂捕獲用粘着シート本体１を２枚用意し、それぞれの差込み片４と差込み口５を組み合わせ、巣穴を囲むように円柱状にしてある。内側に備えられた粘着シート２は巣穴に対して平行になるように設置され、蜂が巣穴を出入りする際に直接粘着シート２に付着する構造となっている。
【０００９】  更に図２の粘着シート２を外側になるように組み立てて設置した場合、円柱状になり、木の枝などに吊るす際に風の影響を受けにくくなり、トラップ範囲を広げる構造となる。
【図面の簡単な説明】
【００１０】
【図１】  蜂捕獲用粘着シート本体１を示した平面図である。
【図２】  蜂捕獲用粘着シート本体１を二つ繋げて円柱状にした場合の斜視図である。
【符号の説明】
【００１１】１蜂捕獲用粘着シート本体
２粘着シート
３吊り下げ用穴
４差込み片
５差込み口
６誘引剤
【図１】
2010063450.tif 000003
【図２】
2010063450.tif 000004